(57)【要約】      （修正有）【課題】蓋部の封函状態を維持できると共に、蓋部の解放時に封函テープを容易に剥離することが可能な箱用シートを提供する。【解決手段】箱用シートは、組立状態で対向する一対の第１側面パネル１ａ、１ｂ及び一対の第２側面パネル２ａ、２ｂと、一対の第１側面パネルの上縁から延出し、内側に折り曲げられて箱体の蓋部を形成する一対の蓋フラップ３ａ、３ｂとを備える箱用シート１０であって、第２側面パネルの外面に、組立状態における一対の蓋フラップの先端縁部から連続して延びる封函テープ貼着予定部が設けられており、封函テープ貼着予定部を含む領域に、封函テープ貼着予定部の幅方向の中心線を挟んで対向する封函テープ剥離開始用の一対の離型層１１ａ、１１ｂが設けられている。【選択図】図１
0003235117.tif 000002
【実用新案登録請求の範囲】
【請求項１】
組立状態で対向する一対の第１側面パネル及び一対の第２側面パネルと、
上記一対の第１側面パネルの上縁から延出し、内側に折り曲げられて箱体の蓋部を形成する一対の蓋フラップと
を備える箱用シートであって、
上記第２側面パネルの外面に、組立状態における上記一対の蓋フラップの先端縁部から連続して延びる封函テープ貼着予定部が設けられており、
上記封函テープ貼着予定部を含む領域に、上記封函テープ貼着予定部の幅方向の中心線を挟んで対向する封函テープ剥離開始用の一対の離型層が設けられている箱用シート。
【請求項２】
上記一対の離型層の対向する内縁に、上方から下方に向けて互いに近接する方向に傾斜する第１部分が設けられている請求項１に記載の箱用シート。
【請求項３】
上記一対の離型層の対向する内縁に、上記第１部分の下端から連続して下方に延びる第２部分が設けられている請求項２に記載の箱用シート。
【請求項４】
上下方向に対する上記第１部分の傾斜角度が１０°以上４０°以下である請求項２又は請求項３に記載の箱用シート。
【請求項５】
上記離型層が印刷層である請求項１から請求項４のいずれか１項に記載の箱用シート。
【考案の詳細な説明】
【技術分野】
【０００１】
本考案は、箱用シートに関する。
【背景技術】
【０００２】
段ボールシート等の箱用シートから組み立てられる箱体が、物品の保管、運搬等に用いられている。この箱用シートとしては、組立状態で対向する一対の第１側面パネル及び一対の第２側面パネルと、一対の第１側面パネルの上縁から延出する一対の蓋フラップとを備えており、上記一対の蓋フラップの先端縁同士が突き合わされることで箱体の蓋部が閉じられる構成のものが公知である。
【０００３】
この箱用シートを組み立ててなる箱体は、通常一対の蓋フラップの合わせ目に沿って封函テープを貼り付けることで蓋部が封函される。この封函テープは、第２側面パネルの外面に端部が配置されるように、第２側面パネルの外面まで連続して貼着される。
【０００４】
この封函テープの剥離の容易化を図ることができる構成として、封函テープが貼られる部分に、剥離ニス、又はパラフィンからなる剥離部を設けることが提案されている（特許文献１参照）。
【先行技術文献】
【特許文献】
【０００５】
【特許文献１】特開２００１−８０６３６号公報
【考案の概要】
【考案が解決しようとする課題】
【０００６】
特許文献１には、封函テープを貼着する予定の領域全体に予め剥離部を形成しておくことで、段ボールシートの表面材の破れ等を防止しつつ、封函テープの剥離を容易に行うことができることが記載されている。
【０００７】
しかしながら、この公報に記載されている構成によっては、封函テープが意図せず剥がれやすくなり、封函テープによる封函状態を適切に維持し難くなるおそれがある。
【０００８】
本考案は、このような事情に基づいてなされたものであり、蓋部の封函状態を維持できると共に、蓋部の解放時に封函テープを容易に剥離することが可能な箱用シートを提供することを目的とする。
【課題を解決するための手段】
【０００９】
本考案の一態様に係る箱用シートは、組立状態で対向する一対の第１側面パネル及び一対の第２側面パネルと、上記一対の第１側面パネルの上縁から延出し、内側に折り曲げられて箱体の蓋部を形成する一対の蓋フラップとを備える箱用シートであって、上記第２側面パネルの外面に、組立状態における上記一対の蓋フラップの先端縁部から連続して延びる封函テープ貼着予定部が設けられており、上記封函テープ貼着予定部を含む領域に、上記封函テープ貼着予定部の幅方向の中心線を挟んで対向する封函テープ剥離開始用の一対の離型層が設けられている。
【考案の効果】
【００１０】
本考案の一態様に係る箱用シートは、蓋部の封函状態を維持できると共に、蓋部の解放時に封函テープを容易に剥離することができる。
【図面の簡単な説明】
【００１１】
【図１】図１は、本考案の一実施形態に係る箱用シートを示す模式的平面図である。
【図２】図２は、図１の箱用シートを組み立ててなる箱体の封函テープ貼着予定部に封函テープを貼着する前の状態を示す模式的斜視図である。
【図３】図３は、図２の箱体の封函テープ貼着予定部に封函テープを貼着した状態を示す模式的斜視図である。
【図４】図４は、図１の箱用シートの一対の離型層を示す部分拡大図である。
【図５】図５は、図３の箱体の一対の離型層を示す図４に対応する部分拡大図である。
【考案を実施するための形態】
【００１２】
［本考案の実施形態の説明］
最初に本考案の実施態様を列記して説明する。
【００１３】
本考案の一態様に係る箱用シートは、組立状態で対向する一対の第１側面パネル及び一対の第２側面パネルと、上記一対の第１側面パネルの上縁から延出し、内側に折り曲げられて箱体の蓋部を形成する一対の蓋フラップとを備える箱用シートであって、上記第２側面パネルの外面に、組立状態における上記一対の蓋フラップの先端縁部から連続して延びる封函テープ貼着予定部が設けられており、上記封函テープ貼着予定部を含む領域に、上記封函テープ貼着予定部の幅方向の中心線を挟んで対向する封函テープ剥離開始用の一対の離型層が設けられている。
【００１４】
当該箱用シートは、上記第２側面パネルの上記封函テープ貼着予定部を含む領域に、上記封函テープ貼着予定部の幅方向の中心線を挟んで対向する封函テープ剥離開始用の一対の離型層が設けられているので、一方の上記離型層に重なる部分を起点として、上記封函テープを容易に剥離することができる。当該箱用シートは、上記一対の離型層が、上記封函テープ貼着予定部の幅方向の中心線を挟んで対向しているので、使用者が右利きであっても左利きであっても上記封函テープを容易に剥離することができる。また、当該箱用シートは、上記一対の離型層の間に、上記離型層が形成されていない部位を有しているので、上記封函テープを長手方向の端部まで当該箱用シートを構成するシート材に直接貼着することができる。そのため、当該箱用シートは、意図しない封函テープの剥がれを抑制し、封函状態を適切に維持することができる。
【００１５】
上記一対の離型層の対向する内縁に、上方から下方に向けて互いに近接する方向に傾斜する第１部分が設けられているとよい。このように、上記一対の離型層の対向する内縁に、上方から下方に向けて互いに近接する方向に傾斜する第１部分が設けられていることによって、上記封函テープの上記離型層と重なり合う部分を摘み部として、上記封函テープを剥離しやすい。
【００１６】
上記一対の離型層の対向する内縁に、上記第１部分の下端から連続して下方に延びる第２部分が設けられているとよい。このように、上記一対の離型層の対向する内縁に、上記第１部分の下端から連続して下方に延びる第２部分が設けられていることで、上記封函テープの端縁を上記離型層内に配置しつつ、上記封函テープを上記離型層と重なる部分から容易に剥離することができる。
【００１７】
上下方向に対する上記第１部分の傾斜角度としては１０°以上４０°以下が好ましい。このように、上下方向に対する上記第１部分の傾斜角度が上記範囲内であることによって、上記封函テープを剥離する際に、上記封函テープと当該箱用シートとの接着境界と、上記第１部分との角度を大きくしやすい。その結果、上記封函テープをより容易に剥離することができる。
【００１８】
上記離型層が印刷層であるとよい。このように、上記離型層が印刷層であることによって、上記封函テープと上記離型層との接着強度を適切に保ちやすい。
【００１９】
［本考案の実施形態の詳細］
以下、適宜図面を参照しつつ、本考案の実施の形態を詳説する。
【００２０】
［箱用シート］
図１の箱用シート１０は、組立状態で対向する一対の第１側面パネル１ａ、１ｂ及び一対の第２側面パネル２ａ、２ｂと、一対の第１側面パネル１ａ、１ｂの上縁から延出し、内側に折り曲げられて箱体の蓋部を形成する一対の蓋フラップ（蓋外フラップ３ａ、３ｂ）とを備える。一対の第１側面パネル１ａ、１ｂ及び一対の第２側面パネル２ａ、２ｂは、左右方向に交互に連接されている。また、当該箱用シート１０は、一対の第２側面パネル２ａ、２ｂの上縁から延出する一対の蓋内フラップ４ａ、４ｂと、一対の第１側面パネル１ａ、１ｂの下縁から延出する一対の底外フラップ５ａ、５ｂと、一対の第２側面パネル２ａ、２ｂの下縁から延出する一対の底内フラップ６ａ、６ｂと、左右方向外側（図１では左側）に位置する第１側面パネル１ａの左右方向外側の側縁から延出する継代７とを備える。第１側面パネル１ａ、１ｂと、第２側面パネル２ａ、２ｂと、継代７との間の境界線、並びに第１側面パネル１ａ、１ｂと蓋外フラップ３ａ、３ｂ、第１側面パネル１ａ、１ｂと底外フラップ５ａ、５ｂ、第２側面パネル２ａ、２ｂと蓋内フラップ４ａ、４ｂ、第２側面パネル２ａ、２ｂと底内フラップ６ａ、６ｂとの間の境界線には、それぞれ折り曲げ容易線が形成されている。この折り曲げ容易線としては、例えばシート材の内面を筋押しして形成された罫線とすることができる。なお、本考案において、「左右方向」とは、箱用シートを組み立ててなる箱体において想定される一般的な使用態様における水平方向を意味する。「上」とは、上記左右方向を基準とする上を意味し、「下」とは、上記左右方向を基準とする下を意味する。
【００２１】
当該箱用シート１０は、図２の状態を経て図３に示す箱体２０に組み立てられる。当該箱用シート１０を箱体２０に組み立てる手順について説明する。まず、左右方向外側（図１では左側）に位置する第１側面パネル１ａをこの第１側面パネル１ａに連接される第２側面パネル２ａの内面に折り重ね、左右方向外側（図１では右側）に位置する第２側面パネル２ｂをこの第２側面パネル２ｂに連接される第１側面パネル１ｂの内面に折り重ね、継代７を折り重ねられた第２側面パネル２ｂの内面に貼着する。次に、無端状に接続された一対の第１側面パネル１ａ、１ｂ及び一対の第２側面パネル２ａ、２ｂを四角筒状に広げたうえで、一対の底内フラップ６ａ、６ｂを内側に折り曲げ、さらに一対の底外フラップ５ａ、５ｂを内側に折り曲げて先端縁同士を突き合せたうえで、先端縁同士の合わせ目に封函テープＸ１を貼着する。続いて、一対の蓋内フラップ４ａ、４ｂを内側に折り曲げ、さらに一対の蓋外フラップ３ａ、３ｂを内側に折り曲げて先端縁同士を突き合わせる。これにより、図２の状態に組み立てられる。
【００２２】
図２に示すように、当該箱用シート１０は、第２側面パネル２ａ、２ｂの外面に、組立状態における一対の蓋外フラップ３ａ、３ｂの先端縁部から連続して延びる封函テープ貼着予定部３０が設けられている。封函テープ貼着予定部３０は、一対の蓋外フラップ３ａ、３ｂの先端縁同士の合わせ目に沿って延びており、両端部が第２側面パネル２ａ、２ｂの外面に位置している。封函テープ貼着予定部３０は、一対の蓋外フラップ３ａ、３ｂの先端縁同士の合わせ目を中心線として帯状に延びている。封函テープ貼着予定部３０の長手方向の両端縁は、後述する一対の離型層１１ａ、１１ｂと重なる位置に設けられていることが好ましい。封函テープ貼着予定部３０の幅は、封函テープの幅に合わせて設定可能であり、例えば４０ｃｍ以上５０ｃｍ以下程度とすることができる。
【００２３】
当該箱用シート１０は、封函テープ貼着予定部３０に封函テープＸ２を貼着することで、図３の箱体２０に組み立てられる。
【００２４】
当該箱用シート１０は、１枚のシートから形成されている。当該箱用シート１０に用いられるシートとしては、当該箱用シート１０を組み立ててなる箱体２０の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シート１０を形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
（第１側面パネル）
一対の第１側面パネル１ａ、１ｂは矩形状かつ略同一形状に形成されている。第１側面パネル１ａ、１ｂの左右方向長さは第２側面パネル２ａ、２ｂの左右方向長さよりも大きくてもよい。この場合、第１側面パネル１ａ、１ｂは、箱体２０における長さ面を構成する長さ面パネルとして構成される。
【００２６】
（第２側面パネル）
一対の第２側面パネル２ａ、２ｂは矩形状かつ略同一形状に形成されている。第２側面パネル２ａ、２ｂの左右方向長さは第１側面パネル１ａ、１ｂの左右方向長さよりも小さくてもよい。この場合、第２側面パネル２ａ、２ｂは、箱体２０における幅面を構成する幅面パネルとして構成される。第２側面パネル２ａ、２ｂの上下方向長さとしては、第１側面パネル１ａ、１ｂの上下方向長さと同じとすることができる。
【００２７】
第２側面パネル２ａ、２ｂの封函テープ貼着予定部３０を含む領域には、封函テープ貼着予定部３０の幅方向の中心線を挟んで対向する封函テープ剥離開始用の一対の離型層１１ａ、１１ｂが設けられている。
【００２８】
一対の離型層１１ａ、１１ｂは、第２側面パネル２ａ、２ｂの上部の幅方向中央位置に設けられている。一対の離型層１１ａ、１１ｂは、封函テープ貼着予定部３０の中心線を基準として線対称に構成されている。換言すると、本実施形態においては、一対の離型層１１ａ、１１ｂは、第２側面パネル２ａ、２ｂの幅方向の中心線を基準として線対称に構成されている。
【００２９】
一対の離型層１１ａ、１１ｂ同士は、左右方向に間隔を空けて配置されている。図４に示すように、一対の離型層１１ａ、１１ｂ同士の間隔Ｄ１の下限としては、５ｍｍが好ましく、７ｍｍがより好ましい。一方、上記間隔Ｄ１の上限としては、２０ｍｍが好ましく、１５ｍｍがより好ましい。上記間隔Ｄ１が上記下限に満たないと、一対の離型層１１ａ、１１ｂに挟まれる領域において、封函テープＸ２と第２側面パネル２ａ、２ｂとの接着強度を十分に高め難くなるおそれがある。逆に、上記間隔Ｄ１が上記上限を超えると、一対の離型層１１ａ、１１ｂと封函テープＸ２との重複面積が不十分となり、封函テープＸ２を剥離し難くなるおそれがある。
【００３０】
離型層１１ａ、１１ｂは、印刷層であることが好ましい。より詳しくは、離型層１１ａ、１１ｂは、離型インクを用いて第２側面パネル２ａ、２ｂの外面に形成された印刷層であることが好ましい。当該箱用シート１０は、離型層１１ａ、１１ｂが印刷層であることによって、封函テープＸ２と離型層１１ａ、１１ｂとの接着強度を適切に保ちやすい。
【００３１】
離型層１１ａ、１１ｂは、例えばシリコーン樹脂、フッ素樹脂等を含む。また、離型層１１ａ、１１ｂは、離型性を向上させる目的で、ワックス類等を含んでいてもよく、染料、顔料等の添加剤を含んでいてもよい。
【００３２】
一対の離型層１１ａ、１１ｂの対向する内縁には、上方から下方に向けて互いに近接する方向に傾斜する第１部分１２が設けられていることが好ましい。当該箱用シート１０は、一対の離型層１１ａ、１１ｂに第１部分１２が設けられていることによって、図５に示すように、封函テープＸ２の離型層１１ａ、１１ｂと重なり合う部分を摘み部Ｇとして、封函テープＸ２を剥離しやすい。
【００３３】
第１部分１２は、例えば直線状である。上下方向に対する第１部分１２の傾斜角度αの下限としては、１０°が好ましく、１５°がより好ましい。一方、上記傾斜角度αの上限としては、４０°が好ましく、３０°がより好ましい。上記傾斜角度αが上記下限に満たないと、一対の離型層１１ａ、１１ｂに挟まれる領域において、封函テープＸ２と第２側面パネル２ａ、２ｂとの接着強度を十分に高め難くなるおそれがある。逆に、上記傾斜角度αが上記上限を超えると、封函テープＸ２を剥離する際に、封函テープＸ２と当該箱用シート１０との接着境界と、第１部分１２との角度が小さくなる（つまり、封函テープＸ２と当該箱用シート１０との接着境界と、第１部分１２とが平行に近くなる）ことで、封函テープＸ２を剥離し難くなるおそれがある。
【００３４】
一対の離型層１１ａ、１１ｂの対向する内縁には、第１部分１２の下端から連続して下方に延びる第２部分１３が設けられていることが好ましい。第２部分１３は、例えば第１部分１２の下端から連続して鉛直下方に延びている。当該箱用シート１０は、一対の離型層１１ａ、１１ｂが第２部分１３を有することで、封函テープＸ２の端縁を離型層１１ａ、１１ｂ内に配置しつつ、封函テープＸ２を離型層１１ａ、１１ｂと重なる部分から容易に剥離することができる。つまり、図５に示すように、第２部分１３が封函テープＸ２の端縁から下方に突出するように、封函テープＸ２を一対の離型層１１ａ、１１ｂと重なり合うように貼着することで、摘み部Ｇを把持して封函テープＸ２をより容易に剥離することができる。
【００３５】
一対の離型層１１ａ、１１ｂの内縁は、第１部分１２及び第２部分１３から構成されていることが好ましい。また、一対の離型層１１ａ、１１ｂは、第１部分１２の上端から左右方向外側に延びる第３部分１４を有することが好ましい。この構成によると、第３部分１４が封函テープＸ２の側縁から側方に突出するように、封函テープＸ２を一対の離型層１１ａ、１１ｂと重なり合うように貼着することで、摘み部Ｇを把持して封函テープＸ２をより容易に剥離することができる。
【００３６】
第１部分１２の上端同士の間隔Ｄ２の下限としては、封函テープＸ２の幅以上が好ましい。具体的には、上記間隔Ｄ２の下限としては、例えば４０ｍｍが好ましく、５０ｍｍがより好ましい。上記間隔Ｄ２を封函テープＸ２の幅以上とすることで、封函テープＸ２を剥離しやすい。なお、上記間隔Ｄ２の上限としては、特に限定されるものではないが、一対の離型層１１ａ、１１ｂが大きくなり過ぎることを防止する観点から、例えば７０ｍｍとすることができる。
【００３７】
一対の離型層１１ａ、１１ｂは、対向する外縁１５を有している。外縁１５は、例えば直線状であり、鉛直方向に延びている。一対の離型層１１ａ、１１ｂの外縁１５同士の間隔Ｄ３の下限としては、５５ｍｍが好ましく、６０ｍｍがより好ましい。一方、上記間隔Ｄ３の上限としては、８０ｍｍが好ましく、７５ｍｍがより好ましい。上記間隔Ｄ３が上記下限に満たないと、封函テープＸ２が一対の離型層１１ａ、１１ｂの外縁１５よりも左右方向外側にずれて貼着されるおそれが高くなる。逆に、上記間隔Ｄ３が上記上限を超えると、一対の離型層１１ａ、１１ｂが不必要に大きくなるおそれがある。
【００３８】
（蓋外フラップ）
一対の蓋外フラップ３ａ、３ｂは矩形状かつ略同一形状に形成されている。蓋外フラップ３ａ、３ｂの幅は、第１側面パネル１ａ、１ｂの左右方向長さと略等しい。蓋外フラップ３ａ、３ｂの延出方向長さは、第２側面パネル２ａ、２ｂの左右方向長さの略１／２である。
【００３９】
（蓋内フラップ）
一対の蓋内フラップ４ａ、４ｂは矩形状かつ略同一形状に形成されている。蓋内フラップ４ａ、４ｂの幅は、第２側面パネル２ａ、２ｂの左右方向長さと略等しい。蓋内フラップ４ａ、４ｂの延出方向長さは、蓋外フラップ３ａ、３ｂの延出方向長さと同じとすることができる。
【００４０】
（底外フラップ）
一対の底外フラップ５ａ、５ｂは矩形状かつ略同一形状に形成されている。底外フラップ５ａ、５ｂの幅は、第１側面パネル１ａ、１ｂの左右方向長さと略等しい。底外フラップ５ａ、５ｂの延出方向長さは、第２側面パネル２ａ、２ｂの左右方向長さの略１／２である。
【００４１】
（底内フラップ）
一対の底内フラップ６ａ、６ｂは矩形状かつ略同一形状に形成されている。底内フラップ６ａ、６ｂの幅は、第２側面パネル２ａ、２ｂの左右方向長さと略等しい。底内フラップ６ａ、６ｂの延出方向長さは、底外フラップ５ａ、５ｂの延出方向長さと同じとすることができる。
【００４２】
＜利点＞
当該箱用シート１０は、第２側面パネル２ａ、２ｂの封函テープ貼着予定部３０を含む領域に、封函テープ貼着予定部３０の幅方向の中心線を挟んで対向する封函テープ剥離開始用の一対の離型層１１ａ、１１ｂが設けられているので、一対の離型層１１ａ、１１ｂのうちの一方に重なる部分を起点として、封函テープＸ２を容易に剥離することができる。当該箱用シート１０は、一対の離型層１１ａ、１１ｂが、封函テープ貼着予定部３０の幅方向の中心線を挟んで対向しているので、使用者が右利きであっても左利きであっても封函テープＸ２を容易に剥離することができる。また、当該箱用シート１０は、一対の離型層１１ａ、１１ｂの間に、離型層１１ａ、１１ｂが形成されていない部位を有しているので、封函テープＸ２を長手方向の端部まで当該箱用シート１０を構成するシート材に直接貼着することができる。そのため、当該箱用シート１０は、意図しない封函テープＸ２の剥がれを抑制し、封函状態を適切に維持することができる。さらに、当該箱用シート１０は、第２側面パネル２ａ、２ｂの外面に一対の離型層１１ａ、１１ｂを設けることで封函テープＸ２の剥離の容易化を図るものであるので、第２側面パネル２ａ、２ｂの強度を維持することができる。
【００４３】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４４】
上記実施形態では、組立状態で一対の蓋フラップ（蓋外フラップ）の先端縁同士が突き合わされる構成について説明した。但し、当該箱用シートにおいて、箱体の蓋部を形成するための具体的な構成は限定されるものではない。例えば当該箱用シートは、一方の蓋フラップの外面側に他方の蓋フラップが重ね合わされて蓋部が形成されてもよい。この場合、上記封函テープ貼着予定部は、例えば上側の蓋フラップの先端縁が幅方向の中心線と一致するように設けられる。
【００４５】
当該箱用シートにおいて、箱体の底部を形成するための具体的な構成は限定されるものではない。また、上記実施形態では、一対の第１側面パネルと一対の第２側面パネルとが左右方向に交互に連接されている構成について説明したが、一対の第１側面パネルと一対の第２側面パネルとは、組立状態で対向するように配置されるものであれば、左右方向に連接されていなくてもよい。
【００４６】
当該箱用シートは、上記一対の離型層以外の離型層をさらに有していてもよい。また、上記一対の離型層の具体的な形状は、上記実施形態の形状に限定されるものではない。例えば上記一対の離型層は、封函テープ貼着予定部の幅方向の中心線を基準として線対称に形成されていなくてもよい。
【００４７】
当該箱用シートは、一方の上記第２側面パネルにのみ上記一対の離型層を有していてもよい。
【産業上の利用可能性】
【００４８】
以上のように、本考案の一態様に係る箱用シートは、蓋部の封函状態を維持できると共に、蓋部の解放時に封函テープを容易に剥離することができるので、物品を保管用、運搬用等として好適に用いられる。
【符号の説明】
【００４９】
１ａ、１ｂ  第１側面パネル
２ａ、２ｂ  第２側面パネル
３ａ、３ｂ  蓋外フラップ
４ａ、４ｂ  蓋内フラップ
５ａ、５ｂ  底外フラップ
６ａ、６ｂ  底内フラップ
７  継代
１０  箱用シート
１１ａ、１１ｂ  離型層
１２  第１部分
１３  第２部分
１４  第３部分
１５  外縁
２０  箱体
３０  封函テープ貼着予定部
Ｇ  摘み部
Ｘ１、Ｘ２  封函テープ
Ｄ１  一対の離型層同士の間隔
Ｄ２  一対の離型層の第１部分の上端同士の間隔
Ｄ３  一対の離型層の外縁同士の間隔
α  上下方向に対する第１部分の傾斜角度
【図１】
0003235117.tif 000003
【図２】
0003235117.tif 000004
【図３】
0003235117.tif 000005
【図４】
0003235117.tif 000006
【図５】
0003235117.tif 000007